(57)【要約】【課題】窓ガラス，ドアからの家宅侵入防止をなし得る事である。【解決手段】本発明は無線ＩＣタグの考えを利用し、送受信を行ない、窓ガラスが割られ、又，金属製ドアを無理やり開放し、侵入することを防止，抑止することを目的としている。本発明は無線ＩＣタグ、アクティブタグ,  或いは、それと同じ機能を持ち備えた送信機などの送信装置と、その信号を受信する受信回路、復調回路、送信装置の情報と同じ情報を持つ回路、送信装置より受信した情報と内部メモリ情報が同一かどうかを比較する回路、アラーム回路を有するアラーム発生受信装置とで構成されている。送信装置よりの情報があり、なしでアラームが鳴る家屋侵入防止アラーム発生システム装置である。【選択図】図１
2006031409.tif 000002
【特許請求の範囲】
【請求項１】
無線ＩＣタグ、アクティブタグ、或いは、アクティブタグと同じ機能を持ち備えた送信機などの送信装置を窓ガラスに貼り付け、常時、又は、ある一定間隔でＩＤを含んだ信号を送信させ、窓ガラスが開放されたとき、金属製窓枠、或いは，別途、窓ガラスに貼り付けられた金属シート、磁気シートで、信号が途切れる。このことを感知するアラーム発生受信装置と送信装置との組み合わせによる家屋侵入防止アラーム発生システム装置。
【請求項２】
無線ＩＣタグ、アクティブタグ、或いは、アクティブタグと同じ機能を持ち備えた送信機などの送信装置を鋼鉄製ドアと支柱の間に貼り付け、常時、又は、ある一定間隔でＩＤを含んだ信号を送信させておく。通常では、鋼鉄製の隙間に送信機が挟まれており、シールド状態であり、信号は検知できないが、鋼鉄製ドアが開放された時，信号が放出される。このことを感知するアラーム発生受信装置と送信装置との組み合わせによる家屋侵入防止アラーム発生システム装置。
【請求項３】
無線ＩＣタグを利用して，請求項1、請求項２を行なわせる為に、無線ＩＣタグ起動させる電波を送信する回路を組み込ませたアラーム発生受信回路と送信装置との組み合わせによる家屋侵入防止アラーム発生システム装置。
【請求項４】
無線ＩＣタグ,アクティブタブ、又、これらと同じ機能を持ち備えた送信機などの送信装置と同じ情報を記憶しているアラーム発生受信装置。
【請求項５】
電源スイッチを有するアラーム発生受信装置。
【発明の詳細な説明】
【技術分野】
【０００１】
本発明は、無線ＩＣタグ、アクティブタグ、或いは、アクティブタグと同じ機能持ち備えた送信機などの送信装置とアラーム発生受信装置との組み合わせで、窓，ドアが開放された時、アラームが発生するシステム装置に関するものである。
【背景技術】
【０００２】
家宅侵入防止などの目的のために、窓ガラス強化，錠前追加，指紋識別錠などが使用されております。これらは家屋侵入を難しくしておりますが、第三者の協力を得て、家宅侵入を防止しておりません。
【０００３】
その改善策として、無線ＩＣタグ、アクティブタグ、或いは、アクティブタグと同じ機能を持ち備えた送信機などの送信装置を窓ガラス，或いはドアに貼り付け，常時，又は、ある一定間隔でＩＤを含んだ信号を送信させる。窓ガラスが割られ、開放されるとき、窓ガラスのサッシ、又、別途、窓ガラスに貼られた金属シート、磁気シートが、送信装置の信号を中断させる。又  鋼鉄製のドアの場合はドアが開く事に伴い、信号が放出される。  これらの信号をトリガーとして、アラーム発生受信装置側で異常を察知し、アラームが鳴り響き、侵入者への警告、及び近隣の人達に異常があることを知らしめる。
【特許文献１】特開２００２−２６６５３６号公報
【非特許文献１】石井宏一著「ＩＣタグがよくわかる」オーエス出版  2004年
【非特許文献２】ＮＴＴデータ・ユビキタス研究会著「ＩＣタグって何だ」カットシステム出版  2003年
【非特許文献３】社団法人日本自動認識システム協会著「これでわかったＲＦＩＤ」オーム社出版  2003年
【発明の開示】
【発明が解決しようとする課題】
【０００４】
本発明は、アラーム発生受信装置に、無線ＩＣタグ、アクティブＩＣタグ、或いは、アクティブタグと同じ機能を持ち備えた送信機などの送信装置と同じ情報を記憶させる。アラーム発生受信装置は、窓ガラスに貼り付けた送信装置から入手した情報と同一の場合にはアラームを発せず、又、鉄製ドアに貼り付けた送信装置からは情報がない場合には、アラームを発しない。その逆の場合にはアラームを鳴らすことが課題です。
【課題を解決するための手段】
【０００５】
本発明は上述の課題を解決する為に、アラーム発生受信装置に送信装置と同じ情報を持たせること、及び、送信装置内情報とアラーム発生装置内情報との比較回路を備えた装置を提供するものである。
【発明の効果】
【０００６】
アラーム発生受信装置が送信装置の情報に基づき動作するため、アパート，マンションなど数多くの居住者がいたとしても、家屋侵入防止アラーム発生システム装置は使用でき、家屋侵入防止抑止効果がある。
【発明を実施するための最良の形態】
【０００７】
家屋侵入防止アラームシステム装置は送信装置とアラーム発生装置とで形成され、且つ、ＩＤ機能を持っていることより、同一地域で本システムを動作させたとしても、誤動作せず、家屋侵入防止に利用できる特徴がある。
【実施例】
【０００８】
図１，図２、図３を用い、本システム装置を説明します。
図１にある送信装置１には3種類考えられ、アイディア１は無線ＩＣタグを起動させるためのエネルギーはアラーム発生受信装置５の送信回路９経由得て、又、アイディア２、アイディア３は電池で駆動させ、それぞれの場合とも、アラーム発生受信回路５に情報を送信する。アラーム発生受信回路５が受信、復調する。アラーム発生受信装置５には送信装置１と同じ情報を記憶させておき、受信した情報と同じかどうか、情報が継続的に受信しているかどうか、又、情報を受信したかどうかを比較回路７にて判定する。送信装置１は、図２送信装置設置場所、窓ガラス１１に設置し、窓ガラス１２にはフェライトなどの磁気シート、金属シート１３を必要に応じ貼りつける。送信装置１は情報を持った電波を常に、或いは一定間隔で送信し続けている。窓ガラス１２を開け、不審者は侵入した場合、窓ガラスのサッシ１０、或いは  金属シート１３が送信装置１の上を通過する。又、窓ガラス１１を開いた場合は、送信装置１がサッシ１０、金属シート１３の下を通過する。その時、アラーム発生受信装置５への送信が途絶える。アラーム発生受信装置５は情報がなくなったことに伴い、アラームが発生し、不審者の侵入を知らしめる。
送信装置１を図３、玄関ドア支柱１０かドア側に貼りつける。送信装置１は情報を持った電波を常に、或いは、一定間隔で送信し続けている。しかし、金属製ドア１５が閉じた状態では、送信装置１がシールドされた状態であり、電波は送信されていない。不審者が侵入した場合、ドアが開く事に伴い、アラーム発生受信装置は電波を受信し、情報を入手することで、アラームを発し、不審者の侵入を知らしめる。
【産業上の利用可能性】
【０００９】
本発明はアパート生活者、マンション生活者が本システムを容易に設置でき、不審者の家屋侵入防止、抑止効果が得られる。
【図面の簡単な説明】
【００１０】
【図１】家屋侵入防止アラーム発生システム装置のブロック図である。
【図２】送信装置設置場所、窓ガラス。
【図３】送信装置設置場所、金属製ドア。
【符号の説明】
【００１１】
１  送信装置
２  無線ＩＣタグ
３  アクティブタグ
４  送信機
５  アラーム発生受信装置
６  受信回路、復調回路
７  比較回路
８  アラーム回路
９  送信回路
１０  金属サッシ、木製サッシ
１１  窓ガラス
１２  窓ガラス
１３  金属シート、磁気シート
１４  金属製ドア支柱
１５  金属製ドア
【図１】
2006031409.tif 000003
【図２】
2006031409.tif 000004
【図３】
2006031409.tif 000005